(57)【要約】【課題】光ディスク装置において、トレイ、回路基板間空間部における熱のこもりを防ぎ、電子部品や光ヘッドなどの温度上昇を抑えられる技術の提供。【解決手段】トレイの平面内の中央開口とは異なる位置に貫通状部分を設け、該貫通状部分から、光ディスクの回転により発生する空気流を回路基板や光ヘッド側に通し、記録または再生動作時にトレイと回路基板との間にこもる熱を放散させる。【選択図】  図１
2004310883.tif 000002
【特許請求の範囲】
【請求項１】
トレイにより装置内に搬入した光ディスクに対し、光ヘッドからレーザー光を照射して情報の記録、再生のいずれか一方または両方を行う光ディスク装置であって、
上記トレイが、記録または再生動作時の装置内待機位置で上記光ヘッドのディスク外周方向の側面側にあって該トレイと回路基板との間に形成される空間と対向する平面部に、貫通状部分を有することを特徴とする光ディスク装置。
【請求項２】
上記トレイの上記貫通状部分は、上記光ディスクの回転により発生する空気流を上記回路基板または上記光ヘッド側に通す構成である請求項１に記載の光ディスク装置。
【請求項３】
上記トレイの上記貫通状部分は、複数の貫通孔として構成される請求項１に記載の光ディスク装置。
【請求項４】
上記トレイは、上記貫通状部分が上記空気流と交叉する方向に傾斜して設けられた構成である請求項２に記載の光ディスク装置。
【請求項５】
上記トレイの貫通状部分は板厚方向に対し斜め状の縁面を有し、該縁面に沿って上記空気流を案内して通す構成である請求項２に記載の光ディスク装置。
【発明の詳細な説明】
【０００１】
【発明の属する技術分野】
本発明は、光ディスク装置に係わり、特に、ディスク搬入用トレイの装置内での放熱技術に関する。
【０００２】
【従来の技術】
従来の光ディスク装置の構成例を図７に示す。
図７において、１’は、装置内に搬入され所定位置にセットされた光ディスク、２’は光ディスク１’を回転させるスピンドルモータ、３’は回路基板、４’は、レーザーダイオードや光学系が搭載された光ヘッド、５’は、光ディスク１’を装置内に搬入したり、装置外に搬出したりするトレイ、５ａ’は、トレイ５’の略中央部に形成された中央開口、５ｂ’はトレイ５’の搬入移動方向前方側平面部、７’は、光ヘッド４’のディスク外周方向の側面側に形成された空間部、１０’はケースである。空間部７’は、光ヘッド４’のディスク外周方向の側面側にあって、トレイ５’の前方側（挿入移動方向に対し前方側）平面部５ｂ’と回路基板３’との間に形成される。トレイ５’は装置の高さ方向の略中央部にあって装置内の空間を高さ方向に上下略２つに分けている。該分けられた空間のうち回路基板３’側の空間内には、スピンドルモータ２’や、該スピンドルモータ２’を駆動させる駆動回路（図示なし）や、光ヘッド中のレーザーダイオードや、該レーザーダイオードを駆動するレーザー駆動回路など発熱源となる部品が配されている。
【０００３】
上記構成の光ディスク装置において、記録または再生動作の時、上記発熱源において発生した熱は周囲の空気の温度を上昇させる。温度上昇した空気の一部は、ディスク１’の回転等により流動して、トレイ５’の上記前方側平面部５ｂ’と回路基板３’との間に形成される空間部７’に溜まる。記録または再生動作により、光ヘッド４’がディスク半径方向に移動し該光ヘッド４’の一部が上記空間部７’に入ると、該光ヘッド４’の該一部は、温度上昇した空気によって温められ、温度上昇する。かかる装置内の温度上昇を防ぐ対策としては従来、例えばファンにより装置外の空気を取入れ、これを、装置内を流動させて光ヘッド４’や回路基板３’などからの熱を奪わせ、装置外に放熱するようにしている。
【０００４】
本発明に関連した従来技術であって特許文献に記載された技術としては、特開平８−２０３２６３号公報（特許文献１）、特開２００１−３１９４６９号公報（特許文献２）、特開２００２−１８４１６６号公報（特許文献３）及び特開平１０−３１２６７８号公報（特許文献４）に記載されたものがある。特開平８−２０３２６３号公報には、記録ディスク駆動装置の放熱構成として、発熱し易い素子を回路基板の上面に集めて搭載し、該回路基板を覆う外装カバーの凹部に該発熱素子を密着させて放熱する構成が記載され、特開２００１−３１９４６９号公報には、ディスク装置内の冷却構成として、ペルチェ素子によりディスク装置内の空気を冷却させ、該冷却空気をレーザー部分（光ヘッド部）に吹付ける構成が記載され、特開２００２−１８４１６６号公報には、ディスク装置内にペルチェ素子、放熱フィン、冷却ファンを設け、レーザー部分（光ヘッド部）の温度上昇を抑える構成が記載され、特開平１０−３１２６７８号公報には、回路基板に空気分流用の穴を設け、フロントパネルとリアパネルに設けたファンにより該穴を通して空気を流動させ、回路基板とメカブロックとを同時に強制空冷する構成が記載されている。
【０００５】
【特許文献１】
特開平８−２０３２６３号公報
【特許文献２】
特開２００１−３１９４６９号公報
【特許文献３】
特開２００２−１８４１６６号公報
【特許文献４】
特開平１０−３１２６７８号公報
【０００６】
【発明が解決しようとする課題】
上記図７に示す従来技術では、特に長時間の記録動作時には、上記レーザーダイオードや上記レーザー駆動回路などの発熱源からの発生熱量が多く、かつ、ディスク１’の回転速度が比較的遅いために、上記空間部７’の空気温度も高くなり、空間部７’に熱がこもり易い。該空間部７’にこもった熱は、回路基板３’上のＩＣ等の電子部品や光ヘッド４’の温度を上昇させ、該電子部品の性能や、レーザーダイオードやホログラム等の性能などを劣化させる。例えば光ヘッド４’が光ディスク１’の記録面の最外周及びその近傍で記録動作を行う場合には、上記空間部７’内に該光ヘッド４’の一部が入った状態となり、該光ヘッド４’内に搭載されたレーザーダイオードやホログラム等の発熱源が、空間部７’の内部または近くに位置することになる。このため、これら発熱源が該空間部７’の温度を一層上昇させ、電子部品や光ヘッド４’の許容温度を超える場合には、記録の失敗や、上記電子部品の故障や、上記レーザーダイオードやホログラム等の寿命の短縮化や、トレイの機械的強度の劣化や変形などを招くことになる。上記各公報にも、上記空間部７’の熱のこもり及びその放熱対策の技術についての記載はない。
本発明の課題点は、光ディスク装置において、上記空間部における熱のこもりを防ぎ、装置内の電子部品や、光ヘッドや、トレイなどの温度上昇を抑え、それぞれの性能の劣化を防止できるようにすることである。
本発明の目的は、かかる課題点を解決できる技術の提供にある。
【０００７】
【課題を解決するための手段】
上記課題点を解決するために、本発明では、基本的に、光ディスク装置において、光ディスク搬入・搬出用のトレイの平面内の、中央開口とは異なる位置に、貫通状部分を設け、該貫通状部分から、光ディスクの回転により発生する空気流を回路基板や光ヘッド側に通し、記録または再生動作時にトレイと回路基板との間にこもる熱を放散させる。
具体的には、光ディスク装置として、トレイの構成を、記録または再生動作時の装置内待機位置で上記光ヘッドのディスク外周方向の側面側にあって該トレイと回路基板との間に形成される空間と対向する平面部に、貫通状部分を有する構成とし、記録または再生動作時に該空間内に伝えられる熱を、光ディスクの回転により発生する空気流を該貫通状部分を通し上記空間に導くことで放散させる。上記貫通状部分としては例えば、複数の貫通孔としたり、光ディスクの回転による空気流と交叉する方向に傾斜させて設けたり、板厚方向に対し斜め状の縁面を有する構成としたりする。
【０００８】
【発明の実施の形態】
以下、本発明の実施例につき、図面を用いて説明する。
図１、図２は本発明の第１の実施例の説明図である。図１は、本発明の第１の実施例としての光ディスク装置の要部断面図、図２は、図１の光ディスク装置に用いるトレイの構成図である。
図１において、１は光ディスク、２は、光ディスク１を回転駆動するスピンドルモータ、３は、レーザー駆動回路（図示なし）や、スピンドルモータ２などを駆動するモータ駆動回路（図示なし）等が組み込まれた回路基板、４は、レーザーダイオード（図示なし）やホログラム（図示なし）や光学系（図示なし）などが搭載された光ヘッド、５はトレイ、５ａはトレイ５の中央開口、５ｂは、トレイ５の搬入移動方向に対し前方側のトレイ平面部、５ｃは、トレイ平面部５ｂ内に設けられた貫通状部分としての孔、７は、光ヘッド４のディスク外周方向の側面側にあってトレイ５と回路基板３との間に形成される空間、１０は装置ケースである。トレイ５は、光ディスク１を装置内に搬入するときは図のＰＢからＰＦの方向に挿入移動するものとする。図１におけるトレイ５の位置は、記録または再生動作時における装置内の待機位置を示す。
【０００９】
かかる構成において、光ディスク装置が記録または再生動作を行うとき、光ディスク１の回転により、該光ディスク１の周辺部及び該光ディスク１とトレイ５との間の空間部に、該光ディスク１の回転方向に対応する方向の空気流が発生する。該空気流は、トレイの中央開口５ａ及び孔５ｃを、該光ディスク１側から回路基板３や光ヘッド４側に通り抜け、トレイ５と回路基板３との間の空間部を冷却し、該トレイ５、該回路基板３、該回路基板３上のレーザー駆動回路やモータ駆動回路、光ヘッド４などを冷却する。特に、孔５ｃを通る空気流は、空間７において熱がこもるのを防ぎ、光ヘッド４の該空間７に入り込む部分やこれに近い部分の温度上昇を抑える。
【００１０】
図２は、上記トレイ５の外観図である。
本第１の実施例では、上記トレイ５の構成として、貫通状部分としての１個の孔５ｃを、光ヘッド４が光ディスク１の最外周記録面位置に対応する位置に移動したとき該光ヘッドの側面側に形成される空間７に対向するトレイ平面部に設ける。光ヘッド４が光ディスク１の該最外周記録面位置に対応する位置に移動した状態では、該光ヘッド４がトレイ５のトレイ平面部と重なる部分が大きくなる上、記録または再生動作時に該位置に留まる時間が長いため、空間７における温度上昇幅が増大し易く、かつ、該光ヘッド４内のレーザーダイオードやホログラムなども高温になり易い。このため、かかる位置に該孔５ｃを設け、ディスク回転による空気流を該孔５ｃを通して該空間７に導くことにより、この時の、空間７内や、光ヘッド４や、回路基板３上のレーザー駆動回路やモータ駆動回路や、トレイ５などの温度上昇を抑えることができる。
上記第１の実施例によれば、光ディスク装置において、空間７における熱のこもりを防止し、光ヘッド４や、回路基板３、該回路基板３上のレーザー駆動回路やモータ駆動回路、トレイ５などの温度上昇を抑えることが可能となる。
【００１１】
図３、図４は本発明の第２の実施例の説明図である。図３は、第２の実施例の光ディスク装置に用いるトレイの外観図、図４は、図３のトレイの、搬入移動方向前方側のトレイ平面部の断面図である。本第２の実施例は、トレイの構成として、搬入移動方向前方側のトレイ平面部に設ける貫通状部分を、複数の平行状に設けた孔から構成する。他の部分の構成は、上記図１の第１の実施例の場合の構成と同様であるとする。
図３において、５はトレイ、５ａは中央開口、５ｂはトレイ５の搬入移動方向前方側のトレイ平面部、５ｃ１は貫通状部分としての複数の孔、５ｄは中央開口５ａの周囲の凹部、５ｅは平坦部、Ａ１は光ディスク１の回転により生じた凹部５ｄ内の空気流の方向、Ａ’１は同様に光ディスクの回転による平坦部５ｅにおける空気流の方向である。複数の孔５ｃ１は、上記図１の光ディスク装置の場合と同様、空間７（図１）の対向部に設けられ、光ディスクの回転により生ずる空気流の方向と交叉する方向に傾斜して設けられる。
【００１２】
図４は、図３の複数の孔５ｃ１のＢ−Ｂ断面図である。各孔５ｃ１１、５ｃ１２、５ｃ１３、…はそれぞれ、板厚方向に対し斜め状の縁面を有し、該縁面に沿って空気流Ａ’１１、Ａ’１２、Ａ’１３、…を案内して孔内を通すようになっている。トレイ５下部の空間７（図１）の熱ｈ１、ｈ２、ｈ３、…はそれぞれ、空気流Ａ’１１、Ａ’１２、Ａ’１３、…により放散される。
【００１３】
上記第２の実施例によれば、上記第１の実施例の場合と同様、光ディスク装置において、空間７（図１）における熱のこもりを防止し、光ヘッド４（図１）や、回路基板３（図１）、該回路基板３上のレーザー駆動回路（図示なし）やモータ駆動回路（図示なし）、トレイ５などの温度上昇を抑えることが可能となる。特に、本第２の実施例では、貫通状部分として、複数の孔５ｃ１１、５ｃ１２、５ｃ１３、…を、光ディスクの回転により生ずる空気流の方向と交叉する方向に傾斜して設け、かつ、該孔のそれぞれが板厚方向に対し斜め状の縁面を有するようにしているため、上記空気流を効率的に孔内に導くことができ、空間７（図１）内や、光ヘッド４（図１）や、回路基板３（図１）、該回路基板３上のレーザー駆動回路（図示なし）やモータ駆動回路（図示なし）や、トレイ５などの冷却を有効に行うことができる。トレイ５の搬入移動方向前方側のトレイ平面部５ｂにおける機械的強度の確保も容易である。
【００１４】
図５、図６は本発明の光ディスク装置の第３の実施例の説明図である。図５は、本第３の実施例の光ディスク装置に用いるトレイの外観図、図６は、図５のトレイの、搬入移動方向前方側のトレイ平面部の断面図である。本第３の実施例は、トレイの構成として、搬入移動方向前方側のトレイ平面部に設ける貫通状部分を、複数の略円形状の孔から構成する。本第３の実施例においても、上記トレイ以外の部分の構成は、上記図１に示す第１の実施例の場合の構成と同様であるとする。
図５において、５はトレイ、５ａは中央開口、５ｂはトレイ５の搬入移動方向前方側のトレイ平面部、５ｃ２は貫通状部分としての複数の略円形状の孔、５ｄは中央開口５ａの周囲の凹部、５ｅは平坦部、Ａ２は凹部５ｄ内の空気流の方向、Ａ’２は平坦部５ｅにおける空気流の方向である。複数の略円形状の孔５ｃ２は、上記図１の光ディスク装置の場合と同様、空間７（図１）の対向部に設けられる。
【００１５】
図６は、図５の複数の略円形状の孔５ｃ２のＣ−Ｃ断面図である。本第３の実施例ではトレイ平面部５ｂの板厚を、空気流Ａ’２の方向に沿って次第に増加させ、トレイ平面部５ｂが空気流Ａ’２に対して交叉するようにしてある。このため、各孔５ｃ２１、５ｃ２２、５ｃ２３、…は互いに、トレイ平面部５ｂにおいて段差をもって形成され、それぞれ、空気流Ａ’２１、Ａ’２２、Ａ’２３、…を案内して孔内を通すようになっている。この場合も、トレイ５下部の空間７（図１）の熱ｈ１、ｈ２、ｈ３、…はそれぞれ、空気流Ａ’２１、Ａ’２２、Ａ’２３、…により放散される。
【００１６】
上記第３の実施例によれば、上記第１、第２の実施例の場合と同様、光ディスク装置において、空間７（図１）における熱のこもりを防止し、光ヘッド４（図１）や、回路基板３（図１）、該回路基板３上のレーザー駆動回路（図示なし）やモータ駆動回路（図示なし）、トレイ５などの温度上昇を抑えることが可能となる。特に、本第３の実施例では、貫通状部分として、孔５ｃ２１、５ｃ２２、５ｃ２３、…を互いに、トレイ平面部５ｂにおいて段差をもつように形成しているため、光ディスクの回転により生ずる空気流を効率的に各孔内に導くことができ、空間７（図１）内や、光ヘッド４（図１）や、回路基板３（図１）、該回路基板３上のレーザー駆動回路（図示なし）やモータ駆動回路（図示なし）や、トレイ５などの冷却を有効に行うことができる。また、トレイ５の搬入移動方向前方側のトレイ平面部５ｂにおける機械的強度の確保も容易である。
【００１７】
なお、上記第２の実施例においては、貫通状部分を、複数の平行状に設けた孔から構成するとしたが、本発明はこれに限定されず、複数の孔は互いに平行でなくともよい。また、上記第３の実施例においては、貫通状部分としての孔を略円形状のものとしたが、本発明はこれにも限定されず、他の形状の孔であってもよい。また、同第３の実施例では、トレイ平面部５ｂの板厚を、空気流Ａ’２の方向に沿って次第に増加させることで、トレイ平面部５ｂを空気流Ａ’２に対して傾け交叉するようにしたが、この他、例えばトレイ平面部５ｂの板厚は変えずに、単にトレイ平面部５ｂを傾斜させることで空気流Ａ’２と交叉させるようにしてもよい。さらに、該トレイ平面部５ｂを傾斜させる構成を、上記第１の実施例の構成や、上記第２の実施例の構成に適用してもよい。さらにまた、上記第１、第２、第３の各実施例では、貫通状部分が孔である場合につき説明したが、本発明はこれにも限定されず、該貫通状部分としては例えば、中央開口に連続した構成のものであってもよい。また、該貫通状部分は直線状のものに限定されない。
【００１８】
【発明の効果】
本発明によれば、光ディスク装置において、光ディスクの回転を利用した光ヘッドや電子部品の冷却が可能となる。
【図面の簡単な説明】
【図１】本発明の第１の実施例としての光ディスク装置の構成例図である。
【図２】図１の光ディスク装置に用いるトレイの構成図である。
【図３】本発明の第２の実施例の光ディスク装置に用いるトレイの外観図である。
【図４】図３のトレイ平面部の断面図である。
【図５】本発明の第３の実施例の光ディスク装置に用いるトレイの外観図である。
【図６】図５のトレイ平面部の断面図である。
【図７】従来の光ディスクの構成例を示す図である。
【符号の説明】
１…光ディスク、  ２…スピンドルモータ、  ３…回路基板、  ４…光ヘッド、  ５…トレイ、  ５ａ…中央開口、  ５ｂ…トレイ平面部、  ５ｃ…孔、  ７…空間、  １０…装置ケース。
【図１】
2004310883.tif 000003
【図２】
2004310883.tif 000004
【図３】
2004310883.tif 000005
【図４】
2004310883.tif 000006
【図５】
2004310883.tif 000007
【図６】
2004310883.tif 000008
【図７】
2004310883.tif 000009